(57)【要約】【課題】本体ベッドに対する針床の位置合わせが容易な横編機を提供する。【解決手段】本体ベッドに位置決めされる少なくとも一対の針床を備える横編機において、前記針床における編針が進退する方向をＸ方向としたとき、前記本体ベッドから突出することで前記針床を貫通する位置決め部材と、前記針床の表面に固定される位置調整板と、を備える。前記針床は、ガタを有した状態で前記位置決め部材が挿入される第一挿入孔と、前記表面に形成される段差と、を備える。前記位置調整板は、ガタを有さない状態で前記位置決め部材が挿入される第二挿入孔と、前記Ｘ方向における前記編針の進出側又は後退側に配置される位置決め縁部と、を備え、前記位置決め縁部は前記段差に当接される。【選択図】図３
2020204121.tif 000002
【特許請求の範囲】
【請求項１】
本体ベッドと、
前記本体ベッドに位置決めされる少なくとも一対の針床と、を備え、
前記針床は、進退自在に設けられる複数の編針を備える横編機において、
前記針床における前記編針が進退する方向をＸ方向としたとき、
前記本体ベッドから突出することで前記針床を貫通する位置決め部材と、
前記針床の表面に固定される位置調整板と、を備え、
前記針床は、
ガタを有した状態で前記位置決め部材が挿入される第一挿入孔と、
前記表面に形成される段差と、を備え、
前記位置調整板は、
ガタを有さない状態で前記位置決め部材が挿入される第二挿入孔と、
前記Ｘ方向における前記編針の進出側又は後退側に配置される位置決め縁部と、を備え、
前記位置決め縁部は前記段差に当接される横編機。
【請求項２】
前記位置決め縁部は、前記進出側に配置される請求項１に記載の横編機。
【請求項３】
前記位置調整板は、前記第二挿入孔の中心からの距離が異なる複数の縁部を備え、
前記複数の縁部のいずれかが前記位置決め縁部として機能する請求項１又は請求項２に記載の横編機。
【請求項４】
前記Ｘ方向に直交する前記針床の長さ方向をＹ方向としたとき、
前記針床の前記Ｙ方向の中間部を前記後退側から支える支持装置を備え、
前記支持装置は、
前記本体ベッドに固定される第一部材と、
前記第一部材に固定され、かつ前記針床を支える第二部材と、
前記Ｙ方向における前記第一部材に対する前記第二部材の位置に応じて、前記Ｘ方向における前記第一部材に対する前記第二部材の位置を変化させるカム機構と、を備える請求項１から請求項３のいずれか１項に記載の横編機。
【発明の詳細な説明】
【技術分野】
【０００１】
本発明は、少なくとも一対の針床を備える横編機に関する。
【背景技術】
【０００２】
例えば特許文献１には、一対の針床を備える横編機が開示されている。横編機の針床は、フレーム状の本体ベッド上に固定されている。一方の針床の編針と、他方の針床の編針との間に形成される歯口において編地が編成される。歯口の間隔は、編地の品質に影響を与えるため、本体ベッドに対して針床を精度よく固定する必要がある。
【先行技術文献】
【特許文献】
【０００３】
【特許文献１】特開２０１１−１２２２４９号公報
【発明の概要】
【発明が解決しようとする課題】
【０００４】
従来は、本体ベッドに針床を位置合わせしてから、本体ベッドに孔をあけ、その孔にノックピンを差し込むことで本体ベッドに対する針床の位置を決め、ネジ止めにて針床を固定している。そのため、本体ベッドに対する針床の固定が煩雑であるという問題がある。また、ノックピンを用いた従来の構成では、本体ベッドに針床を固定してしまうと、本体ベッドに対する針床の位置を変更することが容易ではない。本体ベッドに対する針床の位置を決める際に、再度、本体ベッドにノックピン用の孔をあける必要があるからである。
【０００５】
上記事情に鑑み、本発明は、本体ベッドに対する針床の位置合わせが容易な横編機を提供することを目的の一つとする。
【課題を解決するための手段】
【０００６】
本発明の横編機は、
本体ベッドと、
前記本体ベッドに位置決めされる少なくとも一対の針床と、を備え、
前記針床は、進退自在に設けられる複数の編針を備える横編機において、
前記針床における前記編針が進退する方向をＸ方向としたとき、
前記本体ベッドから突出することで前記針床を貫通する位置決め部材と、
前記針床の表面に固定される位置調整板と、を備え、
前記針床は、
ガタを有した状態で前記位置決め部材が挿入される第一挿入孔と、
前記表面に形成される段差と、を備え、
前記位置調整板は、
ガタを有さない状態で前記位置決め部材が挿入される第二挿入孔と、
前記Ｘ方向における前記編針の進出側又は後退側に配置される位置決め縁部と、を備え、
前記位置決め縁部は前記段差に当接される。
【０００７】
ここで、ガタ（ｐｌａｙ）を有さない状態とは、例えば位置決め部材と挿入孔との隙間が０．０２ｍｍ以上０．０６ｍｍ以下の状態を意味する。一方、ガタを有した状態とは、例えば位置決め部材と挿入孔との隙間が、０．３ｍｍ以上３．０ｍｍ以下の状態を意味する。ガタを形成する隙間は、本体ベッドに対する針床の調整幅に余裕代を加えた値とする。
【０００８】
本発明の横編機の一形態として、
前記位置決め縁部は、前記進出側に配置される形態が挙げられる。
【０００９】
本発明の横編機の一形態として、
前記位置調整板は、前記第二挿入孔の中心からの距離が異なる複数の縁部を備え、
前記複数の縁部のいずれかが前記位置決め縁部として機能する形態が挙げられる。
【００１０】
本発明の横編機の一形態として、
前記Ｘ方向に直交する前記針床の長さ方向をＹ方向としたとき、
前記針床の前記Ｙ方向の中間部を前記後退側から支える支持装置を備え、
前記支持装置は、
前記本体ベッドに固定される第一部材と、
前記第一部材に固定され、かつ前記針床を支える第二部材と、
前記Ｙ方向における前記第一部材に対する前記第二部材の位置に応じて、前記Ｘ方向における前記第一部材に対する前記第二部材の位置を変化させるカム機構と、を備える。
【発明の効果】
【００１１】
本発明の横編機の構成によれば、本体ベッドに対して所望の位置に針床を取り付け易い。また、本発明の横編機の構成によれば、本体ベッドに対する針床の位置を容易に変化させることができる。本発明の横編機では、位置決め部材が挿入される針床の第一挿入孔は、位置決め部材に対してガタを有しているため、本体ベッドに対して針床の位置は厳密に決まっていない。その代わり、本発明の横編機では、位置調整板が本体ベッドの位置決め部材に係合することで、本体ベッドに対する位置調整板の位置が決まっており、位置調整板が針床の段差に当接することで位置調整板に対して針床の位置が決まっている。そのため、位置調整板のサイズに応じて、本体ベッドに対する針床の位置を変化させることができる。
【００１２】
位置決め縁部が、Ｘ方向における編針の進出側に配置されることで、針床が位置調整板によって後退側から支えられる。通常、針床における進出側が後退側に比べて高くなっているため、針床の重量を針床の下側から支えられる。
【００１３】
位置調整板が、第二挿入孔の中心からの距離が異なる複数の縁部を備えることで、一つの位置調整板によって針床の位置を異なる複数の位置に変化させられる。
【００１４】
カム機構を備える支持装置は、位置調整板によって調整された針床の位置に応じて、当該針床のＹ方向の中間部を支えることができる。そのため、針床のＹ方向の中間部において歯口の間隔が、所望の間隔よりも大きくなることを抑制できる。
【図面の簡単な説明】
【００１５】
【図１】図１は、実施形態１に示される横編機の概略側面図である。
【図２】図２は、実施形態１に示される横編機の概略上面図である。
【図３】図３は、実施形態１に示される横編機における位置調整板近傍の拡大斜視図である。
【図４】図４は、実施形態１に示される横編機における位置調整板近傍の部分正面図である。
【図５】図５は、図４のＶ−Ｖ断面図である。
【図６】図６は、図４のＶＩ−ＶＩ断面図である。
【図７】図７は、実施形態１に示される横編機における針床の部分正面図である。
【図８】図８は、実施形態１に示される位置調整板の正面図である。
【図９】図９は、図８に示される位置調整板を裏返して針床に取り付けた状態を示す部分正面図である。
【図１０】図１０は、実施形態１に示される支持装置近傍の部分正面図である
【図１１】図１１は、図１０に示す支持装置の第二部材を第一部材に対して動かした状態を示す部分正面図である。
【図１２】図１２は、図１０のＸＩＩ−ＸＩＩ断面図である。
【図１３】図１３は、支持装置に備わる第一部材の正面図である。
【図１４】図１４は、支持装置に備わる第二部材の正面図である。
【発明を実施するための形態】
【００１６】
＜実施形態１＞
以下、本発明の横編機の実施形態の一例を、図１から図１４に基づいて説明する。図中の符号の語尾に『Ｆ』又は『Ｂ』が付く部材はそれぞれ、横編機１の『前側』又は『後側』に配置される部材である。
【００１７】
≪全体構成≫
本例に示される横編機１は、２枚ベッド横編機である。本例と異なり、４枚ベッド横編機に本発明の構成を適用しても構わない。図１，２に示されるように、本例の横編機１は、本体ベッド２と、本体ベッド２上に配置される一対の針床３Ｆ，３Ｂとを備える。以下、横編機の各構成を詳細に説明する。
【００１８】
≪本体ベッド≫
本体ベッド２は、針床３Ｆ，３Ｂを支持するフレーム状部材である。本体ベッド２は、底部２０と、壁部２１Ｆ，２１Ｂと、傾斜部２２Ｆ，２２Ｂと、天部２３とを備える。底部２０は、図示しない横編機の架台上に固定される。
【００１９】
壁部２１Ｆ（２１Ｂ）には、針床３Ｆ（３Ｂ）の長さ方向（図１の奥行方向、図２の左右方向）の中間部を下支えする支持装置６（支持アーム６０及び支持ネジ６１を含む）が設けられている。支持装置６が設けられる位置は、図２の白抜き矢印で示す部分である。傾斜部２２Ｆ（２２Ｂ）には、後述する針床３Ｆ（３Ｂ）が設けられている。天部２３には、針床３Ｆ，３Ｂにおいて編成される編地を通過させる開口２３ｈが設けられている。
【００２０】
本例では、針床３Ｆ，３Ｂの長さ方向に沿って、針床３Ｆに対して針床３Ｂを移動させるラッキング機構が設けられている。ラッキング機構は、例えば特許文献１に記載されるように公知である。このラッキング機構は、針床３Ｂを傾斜部２２Ｂに対して摺動自在に支持する摺動部材２９を備える。摺動部材２９は本体ベッド２に取り付けられ、摺動部材２９の表面は本体ベッド２の表面とほぼ面一になっており、針床３Ｂはその摺動部材２９上に取り付けられる。従って、本明細書において、摺動部材２９は本体ベッド２の一部と見做される。
【００２１】
≪針床≫
針床３Ｆ，３Ｂは、その長さ方向に並列される複数の編針（図示せず）を備える。各編針は、針床３Ｆ，３Ｂの長さ方向に直交する方向に進退自在に設けられている。本例では、編針の進退方向をＸ方向、針床３Ｆ，３Ｂの長さ方向をＹ方向、Ｘ方向とＹ方向の両方に直交する針床３Ｆ，３Ｂの厚さ方向をＺ方向とする。以降の説明において、編針の進出側（進出方向）と後退側（後退方向）をそれぞれ、Ｘ方向の進出側（進出方向）とＸ方向の後退側（後退方向）と呼ぶ場合がある。これらＸ方向、Ｙ方向、及びＺ方向は、各図において両端矢印で示される。針床３Ｆ，３Ｂは、図１の横編機１の側面図に示されるように山型に配置されるため、針床３ＦのＹ方向と針床３ＢのＹ方向は一致するが、針床３ＦのＸ方向（Ｚ方向）と針床３ＢのＸ方向（Ｚ方向）は一致しない。
【００２２】
針床３ＦのＸ方向の先端と、針床３ＢのＸ方向の先端との間には歯口１０が形成される。歯口１０の位置で編成された編地は、本体ベッド２の開口２３ｈを通って横編機１の外部に排出される。
【００２３】
≪本体ベッドに対する針床の位置合わせ機構≫
針床３Ｆ，３Ｂは、本体ベッド２に対して位置合わせされる。針床３Ｆ，３ＢのＸ方向の位置は、歯口１０の間隔に影響を与え、編地の品質に影響を与えるため、重要である。
【００２４】
本体ベッド２に対する針床３Ｆ，３ＢのＸ方向の位置は、図２に示されるように、針床３Ｆ，３ＢのＹ方向の両端部に設けられる位置調整板４によって行われる。以降、図２に示される針床３Ｆの紙面左側に配置される位置調整板４を例にして、位置調整板４による針床３Ｆ，３Ｂの位置合わせ機構を図３から図９に基づいて説明する。
【００２５】
図３は、図２に示される針床３Ｆの紙面左側に配置される位置調整板４近傍の拡大斜視図である。本体ベッド２に対する針床３ＦのＸ方向の位置は、本体ベッド２から突出する位置決め部材５と、位置調整板４との係合によって決まる。
【００２６】
［針床における構成］
本例では、図７に示されるように、針床３ＦのＹ方向の端部に、位置調整板４を設けるための凹部３１が形成されている。凹部３１は、針床３Ｆの表面側（図２の本体ベッド２と反対側）に設けられている。
【００２７】
凹部３１には、第一挿入孔３０と、一対の貫通孔３８と、一対のネジ孔３９とが設けられている。第一挿入孔３０は、凹部３１の中央に設けられる。第一挿入孔３０の内径は、後述するカラー５０の中間部５０ｃの外径よりも、Ｌ２−Ｌ１＋αｍｍ大きい（図５，６など）。Ｌ１とＬ２については、図８を参照して後述する。αは余裕代であり、例えば２ｍｍである。一対の貫通孔３８は、針床３ＦのＹ方向に第一挿入孔３０を挟む位置に設けられている。貫通孔３８の内径は、後述するネジ２ｂの軸部の外径よりも、Ｌ２−Ｌ１＋βｍｍ大きい（図６）。βは余裕代であり、例えば１．５ｍｍである。一対のネジ孔３９は、編針のＸ方向に第一挿入孔３０を挟む位置に設けられている。これらの役割については後述する。
【００２８】
[位置決め部材]
本例の位置決め部材５は、円筒状のカラー５０と、カラー５０を本体ベッド２の傾斜部２２Ｆ（図１，２）に固定するネジ５１とで構成される。カラー５０は高剛性の材料、例えば金属などで構成される。カラー５０の内部には、図５，６に示されるように、ネジ５１が貫通されるネジ孔５０ｈが形成されている。ネジ孔５０ｈは、ネジ５１の軸部が挿入される細径部と、ネジ５１のヘッドが収納される太径部とを備える。太径部によってネジ５１がカラー５０から突出することを防止できる。ここで、カラー５０は円筒状の部材に限定されない。例えば、カラー５０は角筒状などであっても良い。
【００２９】
本例のカラー５０は、その軸方向の中間部５０ｃの外径が、他の部分の外径よりも大きくなっている。カラー５０における中間部５０ｃから先端部に向かう部分は先細り形状となっている。このような形状のカラー５０は、後述する第一挿入孔３０と第二挿入孔４０に挿入し易い。
【００３０】
カラー５０は、針床３Ｆに形成される第一挿入孔３０に挿入され、針床３Ｆを貫通している。第一挿入孔３０の内径は、カラー５０の中間部５０ｃ（最も径が大きい部分）の外形よりも大きくなっているので、カラー５０は、第一挿入孔３０に対してガタを有する状態で挿入されている。
【００３１】
［位置調整板］
位置調整板４は、図８に示すように、平板状の部材である。位置調整板４は、その外周輪郭線を構成する第一縁部４１と第二縁部４２と第三縁部４３と第四縁部４４とを備える。第三縁部４３と第四縁部４４にはそれぞれ切欠き部４６，４７が形成されている。この切欠き部４６，４７は、図３などに示されるように、針床３Ｆを本体ベッド２に固定するネジ２ｂを回避するためのものである。また、第四縁部４４には、位置調整板４の向きを示す切欠き状のマーク部４８を備える。マーク部４８はペイント又は刻印などであっても良い。
【００３２】
位置調整板４は、第二挿入孔４０と一対の貫通孔４９とを備える。第二挿入孔４０は、位置調整板４の中央部に設けられている。第二挿入孔４０の内径は、カラー５０の中間部５０ｃの外径とほぼ同じである（図５，６）。一対の貫通孔４９は、第二挿入孔４０を挟んで第一縁部４１側と第二縁部４２側に設けられている。貫通孔４９の内径は、後述するネジ３ｂの軸部の外径よりも大きい（図５）。
【００３３】
本例の位置調整板４では、第二挿入孔４０の中心から第一縁部４１までの距離Ｌ１と、第二挿入孔４０の中心から第二縁部４２までの距離Ｌ２とが異なる。距離Ｌ２は、距離Ｌ１よりも若干長くなっている。例えば、Ｌ２−Ｌ１は、０．２ｍｍ以上１ｍｍ以下とすることが挙げられる。本例のＬ２−Ｌ１は０．３ｍｍである。
【００３４】
図８に示される位置調整板４は、図３から図６に示されるように、針床３Ｆの表面に形成される凹部３１に配置されている。図５，６に示されるように、凹部３１に配置された位置調整板４の第二挿入孔４０は、針床３Ｆの第一挿入孔３０に重複している。そのため、カラー５０は、第一挿入孔３０と第二挿入孔４０とに挿入される。そのカラー５０の中間部５０ｃは、ちょうど第二挿入孔４０の内部に配置される。本例の中間部５０ｃの外径は２０ｍｍ（＋０．０１〜＋０．０３ｍｍ）である。また、本例の第二挿入孔４０の内径は２０ｍｍ（−０．０３〜−０．０１ｍｍ）である。中間部５０ｃの外径と第二挿入孔４０の内径はほぼ同じであるため、カラー５０は、第二挿入孔４０に対してガタを有さない状態で挿入されている。
【００３５】
凹部３１に配置された位置調整板４の第一縁部４１は、Ｘ方向の進出側（紙面上側）に配置されている。第二縁部４２は、Ｘ方向の後退側（紙面下側）に配置されている。第三縁部４３は、Ｙ方向の外方側（紙面左側）に配置されている。第四縁部４４は、Ｙ方向の内方側（紙面右側）に配置されている。本例では、第一縁部４１が、凹部３１における進出側の内壁３１１（段差）に当接しているが、第二縁部４２は、凹部３１の後退側の内壁３１２には当接していない。つまり、第一縁部４１が、針床３Ｆの段差３１１に当接し、位置調整板４に対する針床３ＦのＸ方向の位置を決める位置決め縁部４５として機能している。本例とは異なり、第二縁部４２を凹部３１の後退側の内壁３１２に当接させ、位置調整板４に対する針床３Ｆの位置を決めても良い。この場合、第二縁部４２が位置決め縁部４５として機能する。
【００３６】
本例では、第四縁部４４は、凹部３１におけるＹ方向の内方側の内壁３１４（段差）に当接している。この当接によって、針床３ＦのＹ方向における針床３Ｆの位置も決められている。第四縁部４４は、必ずしも凹部３１の内壁３１４に当接する必要はない。
【００３７】
ここで、位置決め縁部４５は、平坦で無くても良い。位置決め縁部４５が例えばくさび形状となっていれば、位置決め縁部４５が凹部の内壁（段差）に当接されることで、Ｘ方向及び針床のＹ方向における針床の位置が決まる。
【００３８】
本例の位置調整板４の厚さは、本例の凹部３１の深さとほぼ同じである。もちろん、位置調整板４の厚さは、凹部３１の深さよりも厚くても良いし、薄くても良い。
【００３９】
位置調整板４は、ネジ３ｂによって針床３Ｆにネジ止めされている。図５に示されるように、ネジ３ｂは、位置調整板４の貫通孔４９を貫通し、針床３Ｆのネジ孔３９にネジ結合されているが、本体ベッド２に到達していない。従って、位置調整板４は、位置決め部材５を介してのみ、本体ベッド２に対して固定されている。
【００４０】
≪針床の固定手順≫
針床３Ｆは、例えば以下の手順で本体ベッド２に固定される。まず、本体ベッド２にカラー５０をネジ５１で仮止めする。次いで、位置調整板４の第一縁部４１（位置決め縁部４５）を針床３Ｆの凹部３１の段差３１１に当接させ、ネジ３ｂによって位置調整板４を針床３Ｆに固定する（図５）。位置調整板４が固定された針床３Ｆを本体ベッド２に載せ、位置調整板４の第二挿入孔４０にカラー５０を係合させる。治具によって本体ベッド２に対する針床３ＦのＸ方向の位置を微調整し、ネジ２ｂを針床３Ｆの貫通孔３８に貫通させ、本体ベッド２のネジ孔２８にネジ結合させると共に、ネジ５１を本締めする（図６）。その結果、針床３Ｆが本体ベッド２に固定される。このように、本例の横編機１では、取付作業者が、本体ベッド２に対して針床３Ｆの位置を決める際に、本体ベッド２にノックピン用の孔をあける必要がなく、針床３Ｆの位置決めが容易である。
【００４１】
本体ベッド２に対する針床３ＦのＸ方向の位置を変える場合、位置調整板４を別のサイズのものに変更すればよい。その際、カラー５０のネジ５１は緩める必要がない。ここで、本例の位置調整板４では、図８に示されるように、第二挿入孔４０の中心からの第一縁部４１までの距離Ｌ１と、第二挿入孔４０の中心から第二縁部４２の距離とが異なる。そのため、図９に示されるように、第一縁部４１と第二縁部４２のＸ方向の位置が逆となるように位置調整板４を裏返して凹部３１に取り付けることで、本体ベッド２に対する針床３ＦのＸ方向の位置を変えることができる。この場合、位置調整板４の第二縁部４２が、位置決め縁部４５として機能する。このように、本例の横編機１では、位置調整板４を取り替えたり、位置調整板４の向きを変えたりするだけで、本体ベッド２に対する針床３Ｆの位置を決めることができる。
【００４２】
≪その他の構成≫
本例の横編機１は、図１に示されるように、針床３Ｆ，３ＢのＹ方向の中間部を後退側から支える支持装置６を備える。支持装置６の構成は、主に図１０から図１４を参照して説明する。
【００４３】
図１０，１１に示される支持装置６は、第一部材７と第二部材８とカム機構とを備える。第一部材７は、ネジ７ｂによって本体ベッド２に固定されている。また、第一部材７は、図１２に示されるように、支持ネジ６１によってＸ方向の後退側（歯口１０と反対側）から支持されている。支持ネジ６１は、図１に示されるように、支持アーム６０によって本体ベッド２に固定されている。従って、第一部材７は、本体ベッド２に対して不動である。
【００４４】
第一部材７は、板状部材である（図１３）。第一部材７は、二つのネジ孔７１と二つの長孔７２とを備える。ネジ孔７１には、ネジ８ｂがネジ結合される（図１２）。つまり、ネジ孔７１は、第一部材７の上に第二部材８を重ねて固定するためのものである。一方、長孔７２は、Ｘ方向に長いレーストラック形状となっている。長孔７２には、ネジ７ｂ（図１０，１１）が貫通される。ネジ７ｂは、本体ベッド２にネジ結合される。
【００４５】
第一部材７の上端は、凹凸を有する。この凹凸形状のうち、Ｘ方向の進出方向に突出する凸部が第一カム面７９となっている。凹凸形状の凹部は、後述する第二カム面８９に接触しない。また、第一部材７には、二つのマーク部７７，７８が形成されている。両マーク部７７，７８は、Ｘ方向にずれた位置に配置されている。マーク部７７，７８は、第一部材７に対する第二部材８の位置を示すもので、孔でも良いし、凹みでも良いし、刻印でも良い。
【００４６】
第二部材８は、板状部材であって、その上端（Ｘ方向の進出側の端部）に支持縁部８５を備える（図１４）。支持縁部８５は、針床３Ｆの下端面（Ｘ方向の後退側の端面）に当接する。既に述べたように、第二部材８はネジ８ｂによって第一部材７に固定されており（図１０，１１）、その第一部材７は本体ベッド２に固定されている。従って、第二部材８の支持縁部８５によって、針床３Ｆはその下端側から支えられる。
【００４７】
この第二部材８は、二つの表面凹部８０と、一つの裏面凹部８３と、二つの第一貫通孔８１と、二つの第二貫通孔８２と、を備える（図１２，１４）。第二部材８の表面側に形成される表面凹部８０は、Ｙ方向に長いレーストラック形状である。表面凹部８０は、ネジ８ｂの座面となる部分である（図１０から図１２）。第一貫通孔８１は、表面凹部８０と裏面凹部８３とに連通している。第一貫通孔８１は、Ｙ方向に長くなったレーストラック形状の長孔である。第一貫通孔８１にはネジ８ｂが貫通される。
【００４８】
第二貫通孔８２は、第二部材８の表面と裏面凹部８３とに連通している。第二貫通孔８２は、Ｙ方向に長くなったレーストラック形状の長孔である。第二貫通孔８２には、ネジ７ｂ（図１０，１１）が貫通される。この第二貫通孔８２と表面凹部８０とは、Ｙ方向に交互に配置されている。第二貫通孔８２は、表面凹部８０よりもＸ方向の後退側（紙面下側）に配置されている。
【００４９】
裏面凹部８３のＸ方向の後退側の部分は、第二部材８の端面に開口している。一方、裏面凹部８３における進出側の内周面は、凹凸形状の第二カム面８９となっている。第二カム面８９は、図１０，１１に示されるように、第一カム面７９に対向している。これらカム面７９，８９によって、第一部材７に対する第二部材８のＸ方向の位置を変化させるカム機構が構成されている。
【００５０】
第一部材７に対する第二部材８のＸ方向の位置を変えるには、ネジ８ｂのみを緩めて、第二部材８をＹ方向にスライドさせる。図１０では、第一部材７のカム面７９の凸部（進出方向に突出する部分）が、第二部材８のカム面８９の凸部（後退方向に突出する部分）に配置されている。一方、図１０の第二部材８を紙面右側に移動させた状態を示す図１１では、カム面７９の凸部が、カム面８９の凹部（進出方向に窪んだ部分）に配置されている。その結果、図１１における第二部材８の支持縁部８５は、図１０における位置よりも低くなる。この支持装置６によれば、図２に示されるように、位置調整板４によって調整された針床３Ｆの位置に応じて、針床３ＦのＹ方向の中間部（白抜き矢印の位置）を支えることができる。そのため、針床３ＦのＹ方向の中間部において歯口１０の間隔が、所望の間隔よりも大きくなることを抑制できる。言うまでもないが、支持装置６による針床３Ｆの支持は、位置調整板４による針床３Ｆの位置の調整が終わった後に行う。
【００５１】
ここで、本例では、第一部材７にマーク部７７，７８が形成されており、図１０の状態ではマーク部７８のみが、図１１の状態ではマーク部７７のみが視認可能に構成されている。そのため、第二部材８がＸ方向の進出側にあるか、後退側にあるかを容易に確認できる。
【００５２】
本例とは異なり、第一部材７の凹凸形状の上端全体を第一カム面７９とし、第二部材８の凹凸形状のうち、Ｘ方向の後退方向に突出する凸部を第二カム面８９としても良い。
【００５３】
＜実施形態２＞
実施形態１では、位置調整板４が、針床３Ｆに形成される凹部３１の内壁３１１（段差）に当接される構成が示されている。この凹部３１の代わりに、針床３Ｆの表面から突出する凸部を形成し、その凸部の外壁（段差）に位置調整板４が当て止めされる構成であっても良い。ピン状の複数の凸部を形成し、それらの凸部に位置調整板４が当て止めされる構成であっても良い。その他の構成として、位置調整板４が三つ以上の位置決め縁部４５を備えていても良い。
【符号の説明】
【００５４】
１  横編機
１０  歯口
２  本体ベッド
２ｂ  ネジ
２０  底部、２１Ｆ，２１Ｂ  壁部、２２Ｆ，２２Ｂ  傾斜部、２３  天部
２８  ネジ孔、２９  摺動部材、２３ｈ  開口
３Ｆ，３Ｂ  針床
３ｂ  ネジ
３０  第一挿入孔、３１  凹部、３１１，３１２，３１４  内壁（段差）
３８  貫通孔、３９  ネジ孔
４  位置調整板
４０  第二挿入孔
４１  第一縁部、４２  第二縁部、４３  第三縁部  ４４  第四縁部
４５  位置決め縁部、４６，４７  切欠き部、４８  マーク部、４９  貫通孔
５  位置決め部材
５０  カラー、５０ｃ  中間部、５０ｈ  ネジ孔、５１  ネジ
６  支持装置
６０  支持アーム、６１  支持ネジ
７  第一部材、７ｂ  ネジ
７１  ネジ孔、７２  長孔、７７，７８  マーク部、７９  第一カム面
８  第二部材、８ｂ  ネジ
８０  表面凹部、８１  第一貫通孔、８２  第二貫通孔、８３  裏面凹部
８５  支持縁部、８９  第二カム面
【図１】
2020204121.tif 000003
【図２】
2020204121.tif 000004
【図３】
2020204121.tif 000005
【図４】
2020204121.tif 000006
【図５】
2020204121.tif 000007
【図６】
2020204121.tif 000008
【図７】
2020204121.tif 000009
【図８】
2020204121.tif 000010
【図９】
2020204121.tif 000011
【図１０】
2020204121.tif 000012
【図１１】
2020204121.tif 000013
【図１２】
2020204121.tif 000014
【図１３】
2020204121.tif 000015
【図１４】
2020204121.tif 000016